(57)【要約】【課題】記録媒体上に記録されるＭＰＥＧ圧縮信号の途中から書き換え記録をすると、ＧＯＰ構造が変化してしまい良好な再生が行えなくなる。【解決手段】ＭＰＥＧエンコーダ１４は入来する映像信号をＮフレーム単位で符号量制御し、出力するＰＳＩ情報を固定にする。そして、記録再生部１７は、映像信号をＮフレーム単位で記録媒体に記録し、書き換え処理を行う。書き換えを行った映像信号の再生時、信号の連続性に関する情報とＧＯＰの区切りを示す情報に基づきデコーダの動作を制御する。これにより、繋ぎ記録を行った信号の再生時に画像がフリーズする事態を防止できる。【選択図】  図１
2004228845.tif 000002
【特許請求の範囲】
【請求項１】
映像信号を記録媒体上に記録し、再生する映像信号記録再生装置であり、
連続するＮ（Ｎは２以上の自然数）フレームの映像信号におけるフレーム間の相関を利用してＭＰＥＧ方式の圧縮符号化を行うと共に、前記Ｎフレームを１つの符号化単位として、前記符号化単位毎の符号量が所定の目標値となるよう符号量制御を行う圧縮手段と、
前記圧縮手段が出力する前記Ｎフレーム分の圧縮信号が記録媒体上のＭ（Ｍは２以上の自然数）個の領域に格納されるよう記録すると共に、前記Ｍ個の領域内における１又は連続する複数の領域毎に値が変化するシーケンス番号を記録し、前記記録媒体から前記圧縮信号と前記シーケンス番号とを再生する記録再生手段とを備え、
前記圧縮手段は、ＭＰＥＧ方式に規定されるＰＳＩを固定値とした前記圧縮信号を出力するようにしたことを特徴とする映像信号記録再生装置。
【請求項２】
前記記録媒体上に記録される圧縮信号の途中から書き換えを行う書き換え処理時には、前記記録再生手段から再生される前記シーケンス番号に基づき、前記Ｎフレーム単位で書き換えが行われるよう書き換え開始ポイントを制御するようにしたことを特徴とする請求項１記載の映像信号記録再生装置。
【請求項３】
前記記録再生手段にて再生される圧縮信号の伸張処理を行う伸張手段と、
前記記録再生手段にて再生される圧縮信号の連続性を検出する連続性検出手段と、
前記連続性検出手段における検出結果と、前記記録再生手段にて再生される前記シーケンス番号の変化の状態とに応じて、前記伸張手段の動作を制御する伸張動作制御手段とを更に備え、
前記伸張動作制御手段は、前記連続性検出手段により前記圧縮信号の連続性が途絶えていることが検出された場合に前記伸張手段における伸張動作をリセットさせるよう制御する一方、前記連続性検出手段により前記圧縮信号の連続性が途絶えていることが検出されたタイミングと、前記シーケンス番号が示す前記Ｎフレームの区切れのタイミングとが一致した場合には、前記伸張手段における伸張動作をリセットさせないようにしたことを特徴とする請求項２記載の映像信号記録再生装置。
【発明の詳細な説明】
【０００１】
【発明の属する技術分野】
ＭＰＥＧ２のようにフレーム間の圧縮が施された映像信号を記録媒体に記録し、記録媒体から再生する映像信号記録再生装置に関する。
【０００２】
【従来の技術】
映像信号の符号量を削減する圧縮符号化方式として、ＭＰＥＧ２方式が広く知られている。このＭＰＥＧ２方式で圧縮符号化した映像信号は、一般的に、フレーム内圧縮にて得たＩピクチャと、フレーム間圧縮にて得たＰピクチャ及びＢピクチャとからなり、Ｉピクチャを少なくとも１枚含む連続したピクチャの集合を、ＧＯＰ（Ｇｒｏｕｐ  ｏｆ  Ｐｉｃｔｕｒｅｓ）と呼んでいる。そして、このようなＧＯＰ構造を有するＭＰＥＧ方式の映像信号をテープ状記録媒体に記録し、再生する装置として、Ｄ−ＶＨＳ（登録商標）方式の記録再生装置が知られている。
【０００３】
一方、全てのフレームの映像信号にフレーム内の圧縮符号化を施し、圧縮符号化した映像信号をテープ状記録媒体に記録し、再生する装置としてＤＶ方式の記録再生装置が広く普及しているが、このテープ状記録媒体にＭＰＥＧ方式の映像信号を記録できるようにしたＡＴＶ規格が策定されている。そして、このＡＴＶ規格によれば、Ｄ−ＶＨＳ方式の記録再生装置と同様に、ＭＰＥＧ２方式で圧縮符号化したトランスポートストリームの形態の映像信号をテープ状記録媒体に記録再生することが可能となる。
【０００４】
ここで、ＭＰＥＧ２トランスポートストリーム（以下、ＭＰＥＧ２−ＴＳと記す）について説明すると、ＭＰＥＧ２−ＴＳは、テレビジョン放送を意識したストリーム形態を有するものであり、このＭＰＥＧ２−ＴＳによれば、複数の番組を１つのストリームとして伝送することが可能となる。そして、１つのストリームの中から所望の番組のデータのみを抽出して、これを復号化できるよう、ＭＰＥＧ２−ＴＳには、ＰＡＴ（Ｐｒｏｇｒａｍ  Ａｓｓｏｃｉａｔｉｏｎ  Ｔａｂｌｅ）及びＰＭＴ（Ｐｒｏｇｒａｍ
Ｍａｐ  Ｔａｂｌｅ）が設けられている。
【０００５】
ＰＭＴは、ＭＰＥＧ２−ＴＳで伝送される各番組毎に設けられるテーブルであり、ＰＭＴ内には、その番組を構成するパケットのパケットＩＤが記述されている。一方、ＰＡＴは、各番組に共通で設けられているテーブルであり、ＰＡＴ内には、各番組毎に設けられているＰＭＴのパケットＩＤが各番組の番号と対応付けられて記述されている。なお、ＰＡＴ及びＰＭＴは、ＭＰＥＧ２−ＴＳでは、ＰＳＩ（Ｐｒｏｇｒａｍ  Ｓｐｅｃｉｆｉｃ  Ｉｎｆｏｒｍａｔｉｏｎ）の一部とされている。
【０００６】
そして、ＭＰＥＧ２−ＴＳから所望の番組を抽出してデコードする際には、まず、パケットＩＤが「０」に設定されているＰＡＴを探し出し、このＰＡＴ内に記述されている所望の番組のＰＭＴのパケットＩＤを確認する。次に、このパケットＩＤを基に所望の番組のＰＭＴを探し出して、このＰＭＴ内に記述されているビデオ、オーディオ等のパケットＩＤを確認し、この番組のデコードに必要なパケットが抽出される。
【０００７】
このように、ＭＰＥＧ２−ＴＳから所望の番組のデータを得るためには、ストリームの中から所望の番組に対するパケットのみを抽出する必要がある。また、前述の如く、Ｐピクチャ及びＢピクチャについては、フレーム間の圧縮処理が施されているため、所望の番組の映像信号を復元する際には、ＧＯＰ単位でしか信号を復元できない。このような理由により、ＭＰＥＧ２−ＴＳが一旦不連続となると、デコードを再開して正常な映像を出力できるまでに長い時間を要する。
【特許文献１】
特開平９―７００１６号公報
【０００８】
【発明が解決しようとする課題】
上記の如くＭＰＥＧ２−ＴＳを記録し、再生する記録再生装置では、ＭＰＥＧ２−ＴＳにおけるＧＯＰの境界をトラックの境界と無関係に記録している。従って、記録媒体上に既に記録されている信号の途中から新たな信号に書き換える、いわゆる繋ぎ記録を行った場合、ＭＰＥＧ２−ＴＳに不連続点が生じ、再生時にこの不連続点で長い期間にわたり画像がフリーズしてしまうという問題があった。
【０００９】
以上のような問題点に鑑み、本発明は、ＭＰＥＧ２のようなフレーム間圧縮を施した映像信号を記録再生するのに好適な映像信号記録再生装置を提供することを目的とする。
【００１０】
【課題を解決するための手段】
以上の課題を解決するために、本発明に係る映像信号記録再生装置は、
映像信号を記録媒体上に記録し、再生する映像信号記録再生装置であり、
連続するＮ（Ｎは２以上の自然数）フレームの映像信号におけるフレーム間の相関を利用してＭＰＥＧ方式の圧縮符号化を行うと共に、前記Ｎフレームを１つの符号化単位として、前記符号化単位毎の符号量が所定の目標値となるよう符号量制御を行う圧縮手段と、
前記圧縮手段が出力する前記Ｎフレーム分の圧縮信号が記録媒体上のＭ（Ｍは２以上の自然数）個の領域に格納されるよう記録すると共に、前記Ｍ個の領域内における１又は連続する複数の領域毎に値が変化するシーケンス番号を記録し、前記記録媒体から前記圧縮信号と前記シーケンス番号とを再生する記録再生手段とを備え、
前記圧縮手段は、ＭＰＥＧ方式に規定されるＰＳＩを固定値とした前記圧縮信号を出力するようにしたことを特徴とするものである。
【００１１】
また、前記映像信号記録再生装置において、前記記録媒体上に記録される圧縮信号の途中から書き換えを行う書き換え処理時には、前記記録再生手段から再生される前記シーケンス番号に基づき、前記Ｎフレーム単位で書き換えが行われるよう書き換え開始ポイントを制御するようにしたことを特徴とするものである。
【００１２】
更に、前記記録再生手段にて再生される圧縮信号の伸張処理を行う伸張手段と、
前記記録再生手段にて再生される圧縮信号の連続性を検出する連続性検出手段と、
前記連続性検出手段における検出結果と、前記記録再生手段にて再生される前記シーケンス番号の変化の状態とに応じて、前記伸張手段の動作を制御する伸張動作制御手段とを更に備え、
前記伸張動作制御手段は、前記連続性検出手段により前記圧縮信号の連続性が途絶えていることが検出された場合に前記伸張手段における伸張動作をリセットさせるよう制御する一方、前記連続性検出手段により前記圧縮信号の連続性が途絶えていることが検出されたタイミングと、前記シーケンス番号が示す前記Ｎフレームの区切れのタイミングとが一致した場合には、前記伸張手段における伸張動作をリセットさせないようにしたことを特徴とするものである。
【００１３】
【発明の実施の形態】
以下、本発明の実施の形態につき、好ましい実施例により説明する。
図１は、本発明の実施例に係る映像信号記録再生装置の記録系の構成を示すブロック図であり、１０は被写体像を撮像信号として出力する撮像素子、１１は撮像素子１０が出力する撮像信号に、公知のカメラ系の信号処理を施すカメラ処理部、１２はカメラ処理部１１からのアナログ映像信号（撮像信号）と、アナログ入力端子ＩｎＡからのアナログ映像信号とを入力信号とし、これらを後述のＤＶエンコーダ１３及びＭＰＥＧエンコーダ１４に選択的に切換え出力する切換器である。
【００１４】
また、１３は切換器１２が出力するアナログ映像信号に、フレーム内のＤＶ圧縮処理を施して出力するＤＶエンコーダ、１４は切換器１２が出力するアナログ映像信号に、フレーム間のＭＰＥＧ圧縮処理を施して出力するＭＰＥＧエンコーダ、１５はＤＶエンコーダからのＤＶ圧縮信号と、ＭＰＥＧエンコーダ１４からのＭＰＥＧ圧縮信号と、ディジタル入力端子ＩｎＤからのディジタル圧縮信号とを入力信号とし、何れかの信号を選択して出力する切換器である。なお、ここでは図示していないが、ＤＶエンコーダ１３及びＭＰＥＧエンコーダ１４の入力段には、夫々、アナログ映像信号をディジタル映像信号に変換するＡ／Ｄ変換器が設けられているものとする。
【００１５】
更に、１６は切換器１５が出力する信号に記録系の信号処理を施す記録処理部、１７は記録処理部１６が出力する記録信号を所定のトラックフォーマットにて記録媒体に記録し、再生する記録再生部である。また、１８は使用者の指示が入力される入力部、１９は入力部１８を介した使用者の指示に応じて装置内の各部を制御する制御部、２０は制御部１９からの制御信号、記録再生部１７からの再生信号の他、装置内の各種信号に応じて、記録媒体の走行を制御するサーボ、２１はその内部にＰＡＴ、ＰＭＴ、ＰＩＤに関する各種情報が蓄積され、これを適宜読み出してＭＰＥＧエンコーダ１４に出力するメモリである。
【００１６】
以上の如く、図１に示す映像信号記録再生装置では、撮像素子１０で撮像した撮像信号と、アナログ入力端子ＩｎＡを介して入来するアナログ映像信号とが選択的にＤＶエンコーダ１３又はＭＰＥＧエンコーダ１４に供給され、ＤＶ圧縮又はＭＰＥＧ圧縮が施された後に記録再生部１７で記録される。また、外部でＤＶ圧縮又はＭＰＥＧ圧縮が施され、ディジタル入力端子Ｉｎを介して入来するディジタル圧縮信号については、再圧縮されることなく記録再生部１７で記録される。
【００１７】
図２は、記録再生部１７でテープ状記録媒体に記録されるディジタル圧縮信号の記録パターンを示す図である。ＮＴＳＣ方式のテレビジョン信号をＤＶエンコーダ１３で圧縮符号化して記録する際には、図示の如く１フレーム分の映像信号が１０本のトラックに格納される。図３は、テープ状記録媒体に形成される１トラック分のトラックフォーマットを示す図であり、図示の如く、トラックの先頭部分から順に、ＩＴＩセクタ１、オーディオセクタ２、ビデオセクタ３、サブコードセクタ４が設けられる。なお、実際は、セクタ単位での書き換えを考慮して、各セクタ間にギャップが設けられるがここでは図示を省略する。
【００１８】
そして、この時、ＩＴＩセクタ１には、再生系の同期引き込みを可能にする基準信号、オーディオセクタ２には、図示しないオーディオデータ生成部にて生成したオーディオ信号、ビデオセクタ３には、ＤＶエンコーダ１３からのＤＶ圧縮信号、サブコードセクタ４には、記録信号の属性等に係るサブコード信号が記録される。
【００１９】
一方、切換器１２が出力するアナログ映像信号をＭＰＥＧエンコーダ１４で圧縮符号化して記録するＡＴＶモード時には、後述の如く、例えば６フレームで１つのＧＯＰが構成され、１ＧＯＰ（６フレーム）分のデータが６０本のトラックに格納される。その際、ＭＰＥＧ圧縮信号は、図３で示したビデオセクタ４に記録され、再生系の同期引き込みを可能にする基準信号と、記録信号の属性等に係るサブコード信号とは、夫々ＩＴＩセクタ１、サブコードセクタ４に記録される。
【００２０】
なお、切換器１２から出力されるアナログ映像信号をＡＴＶモードで記録する場合に限り、後述の如くサブコードセクタ４に繋ぎ記録を実現させるためのトラックシーケンス番号が記録される。また、図示していないがＭＰＥＧエンコーダ１４が出力するＭＰＥＧ圧縮信号には、オーディオ信号も含まれるため、ＡＴＶモード時にはオーディオセクタ２には信号が記録されない。
【００２１】
次に、本発明の実施例に係る映像信号記録再生装置の記録時の動作について説明する。なお、以下の説明では、ＤＶエンコーダ１３が出力するＤＶ圧縮信号又はディジタル入力端子ＩｎＤを介して入来するＤＶ圧縮信号を記録するＳＤモード時には、水平方向７２０ピクセル×水平方向４８０ピクセルからなる標準解像度のフレームを１秒間に３０フレーム分記録するものとし、一方、ＭＰＥＧエンコーダ１４が出力するＭＰＥＧ圧縮信号を記録するＡＴＶモード時には、例えば、水平方向１２８０ピクセル×水平方向７２０ピクセルからなる高解像度のフレームを１秒間に３０フレーム分記録するものとする。
【００２２】
まず、ＳＤモード時では、撮像素子１０から出力される標準解像度の撮像信号又はアナログ入力端子ＩｎＡを介して入来する標準解像度のアナログ映像信号がＤＶエンコーダ１３に供給される。そして、ＤＶエンコーダ１３が出力するＤＶ圧縮信号又はディジタル入力端子ＩｎＤを介して入来するＤＶ圧縮信号の何れか一方が切換器１５で選択される。そして、図２で示した如く、１フレーム分に相当するＤＶ圧縮信号が１０本のトラックに格納され、ＤＶ圧縮信号の各フレームがテープ状記録媒体に順次記録される。
【００２３】
一方、ＡＴＶモード時では、撮像素子１０から出力される高解像度の撮像信号がＭＰＥＧエンコーダ１４に供給され、ＭＰＥＧエンコーダ１４が出力するＭＰＥＧ圧縮信号又はディジタル入力端子ＩｎＤを介して入来するＭＰＥＧ圧縮信号の何れか一方が切換器１５で選択される。
【００２４】
ここで、撮像素子１０が出力する撮像信号をＡＴＶモードで記録する際には、ＭＰＥＧエンコーダ１４は、メモリ２１から読み出されたＰＡＴ、ＰＭＴ、ＰＩＤに関する固定情報を利用する。ＭＰＥＧエンコーダ１４の出力するＭＰＥＧ圧縮信号は、ＭＰＥＧ２−ＴＳであり、１つのストリームで複数の番組を送信可能であるが、ここで示す如く、１つの撮像信号のみを圧縮符号化する際には、ＰＡＴ、ＰＭＴ、ＰＩＤを固定値としても問題は生じない。つまり、ＰＡＴ、ＰＭＴ、ＰＩＤの各情報の対応関係さえ一致していれば、固定値を利用してもデコーダによるデコード処理が行えるため、ＭＰＥＧエンコーダ１４は、ＰＡＴ、ＰＭＴ、ＰＩＤの各情報として、メモリ２１から読み出される固定値を夫々利用する。
【００２５】
また、ＡＴＶモードで記録する際、ＭＰＥＧエンコーダ１４では、１ＧＯＰ（６フレーム）分のデータが６０本のトラックに格納できるよう符号量制御が行われる。つまり、１ＧＯＰ（６フレーム）分のデータの符号量が所定の目標値となるよう符号量制御する。そして、記録再生部１７は、ＧＯＰ単位のデータを６０本のトラックに記録する。その際、各トラックのサブコードセクタ４には、初期値を０として１０トラック毎に１ずつインクリメントし、５までインクリメントした後に初期値に戻るトラックシーケンス番号が記録される。
【００２６】
図４は、テープ状記録媒体におけるＧＯＰ単位のデータの記録状態と、トラックシーケンス番号とを模式的に示す図であり、図示の如く、１ＧＯＰ（６フレーム）分のデータが６０トラックに記録され、且つ１つのトラックに異なるＧＯＰのデータが混在しないよう記録される。また、各ＧＯＰのデータが記録される最初の１０本のトラックは、トラックシーケンス番号が０、次の１０本のトラックは、トラックシーケンス番号が１、そして、図示の如く、最後の１０本のトラックは、トラックシーケンス番号が５とされる。つまり、ＧＯＰ単位で考えると、トラックシーケンス番号が０から５まで、各１０本ずつ全部で６０本のトラックが存在する。このようにして、ＭＰＥＧ圧縮信号の各ＧＯＰのデータがテープ状記録媒体に順次記録される。
【００２７】
次に、このようにして記録媒体上に記録される信号の途中から新たな信号に書き換える繋ぎ記録の動作について説明する。繋ぎ記録を行う際は、まず使用者により、繋ぎ記録の書き換えポイントが設定される。これは、図示しない内蔵モニタ等を利用しながらテープ状記録媒体に記録されている映像信号の内容を確認し、所望の書き換えポイントを設定するようにすれば良い。
【００２８】
そして、新たな信号の記録を開始する際には、まず、書き換えポイントの直前までテープ状記録媒体を巻き戻して再生を開始し、再生されるトラックシーケンス番号を基に、新たな信号の記録開始タイミングが決定される。例えば、図４に示すＧＯＰ−１までの部分をテープ状記録媒体に残し、ＧＯＰ―２以降の部分を新たな信号に書き換える場合には、この書き換えポイント以前の部分までテープ状記録媒体を巻き戻して再生を開始し、再生されるトラックシーケンス番号の値を参照すれば、ＧＯＰ−２部分からの書き換えが可能となる。
【００２９】
また、テープ走行を開始してからその走行速度を安定させるまでに必要な時間は、ある程度特定することができる。従って、サーボが安定するまでの時間を予め計算しておき、この時間に相当する所望のトラックシーケンス番号まで巻き戻しを行い再生を開始するようにすれば、繋ぎ記録に伴うタイムラグを抑えつつ、正確な繋ぎ記録を行うことが可能となる。
【００３０】
一方、ディジタル入力端子ＩｎＤを介して入来するＭＰＥＧ圧縮信号をＡＴＶモードで記録する際には、トラックシーケンス番号は記録せず、記録するＧＯＰの境界とトラックの境界とを一致させる制御は行わない。更に、繋ぎ記録を行う際は、記録媒体上に記録されているＧＯＰの先頭部分から新たな信号を書き換える処理は行わない。
【００３１】
次に、図５を用いて、本発明の実施例に係る映像信号記録再生装置の再生系の構成について説明する。図５において、３０は記録信号を所定のトラックフォーマットにて記録媒体に記録し、再生する記録再生部、３１は記録再生部３０で再生された再生信号に再生系の信号処理を施す再生処理部である。
【００３２】
また、３２は再生処理部３１から出力されるＤＶ圧縮信号の伸張処理を行うＤＶデコーダ、３３は再生処理部３１から出力されるＭＰＥＧ圧縮信号のパケット処理を行うパケット処理部、３４はパケット処理部３３の出力するＭＰＥＧ圧縮信号に伸張処理を施すＭＰＥＧデコーダ、３５はＭＰＥＧデコーダ３４が出力する映像信号をダウンコンバートすることにより標準解像度のフレーム信号として出力するダウンコンバータ、３６はＤＶデコーダからのアナログ映像信号とダウンコンバータ３５からのアナログ映像信号とを入力信号とし、何れかの信号を選択して出力する切換器である。
【００３３】
なお、ここでは、図示していないがＤＶデコーダ３２及びＭＰＥＧデコーダ３４の出力段には、夫々、ディジタル映像信号をアナログ映像信号に変換するＤ／Ａ変換器が設けられているものとするが、ＭＰＥＧデコーダ３４の出力段にＤ／Ａ変換器を設けず、ダウンコンバータ３５の出力段にＤ／Ａ変換器を設けても良い。この場合、ダウンコンバートをディジタル処理にて行えることは勿論である。
【００３４】
また、３７は後述の如くパケット処理部３３における巡回カウンタの値の検出結果に基づき、ＭＰＥＧ２−ＴＳの連続性を検出する連続検出部、３８は再生処理部３１から出力されるトラックシーケンス番号に応じてＧＯＰの境界を検出するＧＯＰ検出部、３９は連続検出部３７の出力とＧＯＰ検出部３８の出力とに応じてＭＰＥＧデコーダの動作制御を行うフリーズ要否判定部である。また、ＯｕｔＡはアナログ映像信号を外部出力するアナログ出力端子、ＯｕｔＤはディジタル映像信号を外部出力するディジタル出力端子である。
【００３５】
以下、本発明の実施例に係る映像信号記録再生装置の再生時の動作について説明する。まず、ＳＤモードで記録した信号の再生時には、ＤＶ圧縮信号がＤＶデコーダ３２に供給され、伸張処理が施された後に切換器３６を介してアナログ出力端子ＯｕｔＡからアナログ映像信号が外部出力される。また、ＤＶ圧縮信号のまま外部出力する際には、再生処理部３１からのＤＶ圧縮信号がディジタル出力端子ＯｕｔＤから外部出力される。
【００３６】
一方、ＡＴＶモードで記録した信号の再生時には、ＭＰＥＧ圧縮信号がパケット処理部３３に供給され、パケット処理部３３で、巡回カウンタのカウント値が確認される。なお、巡回カウンタは、ＭＰＥＧ２−ＴＳ規格に規定されるように、連続的に巡回する値を各パケット内に格納しておくことにより、パケットの連続性を検出できるようにしたものであり、通常０から１５までの値が巡回的に各パケットに格納されている。
【００３７】
ここで、パケット処理部３３から連続検出部２０へは、この巡回カウンタの値が出力されており、連続検出部２０は、パケット処理部３３から出力される巡回カウンタの値が不連続になったことを検出してこれをＭＰＥＧ２−ＴＳの不連続点と見なしている。
【００３８】
また、ＧＯＰ検出部３８は、再生処理部３１から出力されるトラックシーケンス番号を監視し、この値が５から０に変化したタイミングをＧＯＰの境界タイミングと見なす。なお、前述の如く、図１で示したＭＰＥＧエンコーダ１４からのＭＰＥＧ圧縮信号を記録した際には、トラックシーケンス番号が記録されているが、ディジタル入力端子ＩｎＤからのＭＰＥＧ圧縮信号を記録した際には、トラックシーケンス番号が記録されていない。
【００３９】
そして、フレーム要否判定部３９は、連続検出部３７における検出結果と、ＧＯＰ検出部３８における検出結果とに応じて、ＭＰＥＧデコーダ３４の動作を制御する。まず、ＭＰＥＧ２−ＴＳの不連続点が検出されない状態では、フレーム要否判定部３９は、ＭＰＥＧデコーダ３４に通常通りデコード処理を行うよう指示する。
【００４０】
しかし、ＭＰＥＧ２−ＴＳの不連続点が検出され、この検出タイミングがＧＯＰの境界タイミングと一致していない場合には、フリーズ要否判定部３９は、ＭＰＥＧデコーダ３４における動作をリセットさせるようＭＰＥＧデコーダ３４を制御する。
【００４１】
つまり、ＭＰＥＧデコーダ３４において、ＰＡＴ、ＰＭＴ、ＰＩＤに関する新たな情報を取得して、これら情報に基づきデコード処理を再開させるよう制御する。この時、ＭＰＥＧデコーダ３４は、その動作が安定して正常なデコード画像を出力できるまで、１〜２秒程度の時間を要するため、ＭＰＥＧデコーダ３４はこの期間フリーズ画像を出力することになる。
【００４２】
一方、ＭＰＥＧ２−ＴＳの不連続点が検出され、この検出タイミングがＧＯＰの境界タイミングと一致した場合には、フリーズ要否判定部３９は、ＭＰＥＧデコーダ３４における動作をリセットさせず、ＭＰＥＧデコーダ３４ではデコード処理が継続される。
【００４３】
ここで、前述の如く、ＭＰＥＧエンコーダ１４から出力されるＭＰＥＧ圧縮信号をテープ状記録媒体に記録し、更に、その信号の途中から新たなＭＰＥＧ圧縮信号にて繋ぎ記録を行った場合、書き換えポイントの前後においてトラックシーケンス番号が５から０へと変化している。また、書き換えポイントの前後において各ＧＯＰのデータが過不足なく記録されており、更に、ＰＡＴ、ＰＭＴ、ＰＩＤの情報に関しても、書き換えポイントの前後において同じ情報が利用されている。従って、ＭＰＥＧデコーダ３４におけるデコーダ処理を一旦リセットせず、デコード処理を継続させても画像の乱れを生じさせることなく、安定した再生を維持することが可能となる。
【００４４】
以上に示した実施例では、撮像素子１０から出力される撮像信号をＡＴＶモードで記録する際に、良好な繋ぎ記録が行えることについて説明したが、アナログ入力端子ＩｎＡを介して入来するアナログ映像信号をＭＰＥＧエンコーダ１４で圧縮符号化して記録する場合も同様に良好な繋ぎ記録が行える。
【００４５】
このように本実施例に係る映像信号記録再生装置によれば、ＧＯＰ単位のデータがテープ状記録媒体における所定数のトラックにトラックシーケンス番号と共に順次記録され、且つ１つのトラックに異なるＧＯＰのデータが混在しないよう記録されるため、繋ぎ記録を行っても各ＧＯＰのデータを過不足なく記録することが可能となる。
【００４６】
また、ＧＯＰ単位で符号量制御が行われたＭＰＥＧ圧縮信号がトラックシーケンス番号と共にテープ状記録媒体に記録されるため、巡回カウンタの値とトラックシーケンス番号とを利用して、繋ぎ記録された信号を良好に再生させることができる。
【００４７】
なお、以上の説明では、ＧＯＰを構成するフレームを６フレーム単位とする例を示したが、これ以外のフレーム数に設定可能であることは言うまでもない。また、以上の説明では、圧縮信号をテープ状記録媒体に記録する例を示したが、圧縮信号をディスク状記録媒体に記録する装置に適用しても良いことは言うまでもない。
【００４８】
【発明の効果】
本発明によれば、Ｎフレームを１つの符号化単位として符号量制御を行い、Ｎフレーム単位で記録媒体への記録及び書き換えが行われるため、圧縮映像信号の良好な繋ぎ記録を行うことが可能となる。また、記録時には、ＰＳＩが固定として記録され、更に記録媒体にはこのＮフレームの区切りを示す信号が記録されているため、繋ぎ記録した圧縮映像信号の良好な再生が行える。
【図面の簡単な説明】
【図１】実施例に係る映像記録再生装置の記録系の構成を示す図である。
【図２】テープ状記録媒体に記録される信号の記録パターンの一例を示す図である。
【図３】テープ状記録媒体に形成されるトラックのトラックフォーマットを示す図である。
【図４】ＧＯＰ単位のデータ記録状態とトラックシーケンス番号とを模式的に示す図である。
【図５】実施例に係る映像記録再生装置の再生系の構成を示す図である。
【符号の説明】
１…ＩＴＩセクタ
２…オーディオセクタ
３…ビデオセクタ
４…サブコードセクタ
１０…撮像素子
１１…カメラ処理部
１２、１５，３６…切換器
１３…ＤＶエンコーダ
１４…ＭＰＥＧエンコーダ
１６…記録処理部
１７、３０…記録再生部
３１…再生処理部
３２…ＤＶデコーダ
３３…パケット処理部
３４…ＭＰＥＧデコーダ
３５…ダウンコンバータ
３７…連続検出部
３８…ＧＯＰ検出部
３９…フリーズ要否判定部
【図１】
2004228845.tif 000003
【図２】
2004228845.tif 000004
【図３】
2004228845.tif 000005
【図４】
2004228845.tif 000006
【図５】
2004228845.tif 000007